(57)【特許請求の範囲】
【請求項１】
建物の開口部に沿って設けられた枠体と、前記枠体内で開閉可能に配設され、室内外を通気可能に連通する換気框を有する開閉体とを備える窓部材に用いられる換気装置であって、
前記建物内に向けて開口する第１の開口部及び前記換気框の少なくとも一部に近接して対向する第２の開口部を有する前記枠体又は前記建物に配設される本体部と、
前記本体部内に配設され、前記第１の開口部と前記第２の開口部との間で空気を移動可能にする送風機と、
前記本体部に設けられ、前記第２の開口部と前記送風機との間に介在するダクトと、
を有し、
前記換気框と前記本体部の前記第２の開口部との間に網戸が位置し、
前記換気框と前記網戸との間に、前記換気框と前記第２の開口部との間の空気の流れを連通する補助ダクトを有することを特徴とする換気装置。
【請求項２】
前記ダクトは、前記第２の開口部側から前記送風機側に向けて水平方向に延設され、前記送風機の手前で上方に傾斜する請求項１に記載の換気装置。
【請求項３】
前記送風機は、そのオン及びオフが前記開閉体の開閉及び／又は前記換気框の開閉に連動する請求項１又は２に記載の換気装置。
【発明の詳細な説明】
【技術分野】
【０００１】
本発明は、換気装置に関し、特に建造物の窓などに取り付けられる換気装置に関する。
【背景技術】
【０００２】
建造物の窓などの開口部に取り付けられる障子、引き戸、サッシなど（以後、「窓部材等」と称する。）には、室内の換気を目的とした開口部である換気框が設けられている場合がある。また、壁に開口部を設けるなどして換気をしようとする場合もある。
【０００３】
昨今では開口部の存在による自然換気に代えて、送風機を回して積極的に内外の換気を行う装置が取り付けられている場合がある。
【０００４】
例えば、特許文献１には、建造物の壁内に配置される換気装置が記載されている。特許文献２には、窓部材等の枠内に取り付けられる換気装置が記載されている。特許文献３には、換気框と一体になっている換気装置が記載されている。
【先行技術文献】
【特許文献】
【０００５】
【特許文献１】特開平４−２３１５７６号公報
【特許文献２】特開平１０−１３１６４０号公報
【特許文献３】特開平９−３１７３４１号公報
【発明の概要】
【発明が解決しようとする課題】
【０００６】
特許文献１に記載されている換気装置は、既存の建造物に対して設置しようとする場合には、換気装置を取り付けるための壁への工事が必要である。また、換気装置を新築の際に取り付ける場合であっても、換気装置を取り付けられるような躯体の構造にしなければならない。
【０００７】
特許文献２に記載されている換気装置は、専用の窓部材等を用いることになる。そのため、新築時に専用サッシを設置したり、既存の建造物の窓部材等一式の交換あるいは改修が必要であったりする。
【０００８】
特許文献３に記載にされている換気装置は、換気框と障子などが一体になっているため、障子等の開閉に伴い移動するため、給電方法が難しい。また、飾り窓などのように換気框のある障子等よりも室内側に網戸が配置されている場合には、換気装置が網戸と干渉する。
【０００９】
本発明は、上記実情に鑑みてなされたもので、建造物の新築、既存を問わず、更には網戸の有無にも制約されずに取り付け可能な換気装置を提供することを解決すべき課題とする。
【課題を解決するための手段】
【００１０】
上記課題を解決するための請求項１に係る発明の構成上の特徴は、建物の開口部に沿って設けられた枠体と、前記枠体内で開閉可能に配設され、室内外を通気可能に連通する換気框を有する開閉体とを備える窓部材に用いられる換気装置であって、
前記建物内に向けて開口する第１の開口部及び前記換気框の少なくとも一部に近接して対向する第２の開口部を有する前記枠体又は前記建物に配設される本体部と、
前記本体部内に配設され、前記第１の開口部と前記第２の開口部との間で空気を移動可能にする送風機と、
前記本体部に設けられ、前記第２の開口部と前記送風機との間に介在するダクトと、
を有し、
前記換気框と前記本体部の前記第２の開口部との間に網戸が位置し、
前記換気框と前記網戸との間に、前記換気框と前記第２の開口部との間の空気の流れを連通する補助ダクトを有することである。
【００１１】
なお、換気框は、窓部材の開閉とは別に、換気框自体が空気の流通・遮断可能に開閉できるものとできないもののどちらでも良い。
【００１２】
また請求項２に係る発明の構成上の特徴は、請求項１において、前記ダクトが、前記第２の開口部側から前記送風機側に向けて水平方向に延設され、前記送風機の手前で上方に傾斜することである。
【００１３】
また請求項３に係る発明の構成上の特徴は、請求項１又は２において、前記送風機が、そのオン及びオフが前記開閉体の開閉及び／又は前記換気框の開閉に連動することである。
【００１５】
請求項１に係る発明は、本体部の第１の開口部が建物内に向けて開口し、本体部の第２の開口部が換気框に近接して対向している。そして、本体部内に送風機が配設されており、ダクトは第２の開口部と送風機との間に介在する。送風機が駆動することで、第１の開口部と第２の開口部との間で空気が移動する。つまり、建物内（室内）の空気又は建物外（室外）の空気が本体部及びダクト内を移動し、室内の空気が換気される。請求項１に係る発明は、第２の開口部が換気框に対向しており、第２の開口部を含めて何れも換気框と結合、連結又は係合させる必要はない。また、本発明の換気装置は開閉体とも結合、連結又は係合されていない。そのため、請求項１に係る発明を枠体又は建物に取り付けるために専用の換気框や開閉体でなくても良く、専用の窓部材に変更しなくても良い。もし、窓部材等に換気框がない場合は、換気框のある窓部材等に取り替えることで請求項１に係る発明を設置可能であり、建物の壁を工事する必要もない。また、換気框のある開閉体と請求項１に係る発明との間に網戸が配置される場合も、第２の開口部を網戸越しに換気框に対向させることで、室内の空気の換気を行うことができる。よって、請求項１に係る発明は、新築や既存の建物であることや網戸の有無に制約されずに、建物に取り付けることが可能である。
【００１６】
請求項２に係る発明によれば、ダクトの形状が第２の開口部側から送風機側に向けて水平で、送風機の手前で上方に傾斜した構造をしているため、第２の開口部から外気とともに雨水などが進入してきたとしても傾斜した部分で阻止することができる。
【００１７】
請求項３に係る発明では、送風機のオン及びオフが、開閉体の開閉及び／又は換気框の開閉に連動する。例えば、開閉体が閉められた状態では換気框の開閉に連動して送風機はオン及びオフが切り替わる。そして、開閉体が開けられると送風機をオフにし、この時に換気框が開閉しても送風機のオン及びオフを連動しない。開閉体が開けられている場合は、送風機をオフにしても、開閉体の開口で室内の空気の換気が行われるからである。
【００１８】
また、請求項１に係る発明では、換気框と本体部の第２の開口部との間に網戸が位置する場合に、換気框と網戸との間に補助ダクトが配置される。よって、請求項４に係る発明によれば、換気框と網戸との間にも本体部の第２の開口部に連通する空気の移動が可能な通路が形成されるため、網戸によって換気効率が低下することはない。また、請求項４に係る発明を取り付けたい人は、網戸を排斥したり、網戸を専用品に取り替えたりする必要もない。
【図面の簡単な説明】
【００１９】
【図１】参考形態１の換気装置の一部断面図である。
【図２】参考形態１の換気装置を建物の開口部に取り付ける際の一部分解した説明図である。
【図３】参考形態１の換気装置の変形例の一部断面図である。
【図４】実施形態１の換気装置の一部断面図である。
【発明を実施するための形態】
【００２０】
本発明の代表的な実施形態及び参考形態を図１〜図４を参照して説明する。
【００２１】
（参考形態１）
本参考形態１の換気装置は、図１に示されるように、本体部２と、送風機３と、ダクト（４、５）を有する。
【００２２】
本体部２は、図２に示されるように、蓋部２１と固定部２２とが組み合わされて、内部に、後述する送風機３が設置可能な空間を内部に区画する部材である。蓋部２１は、室内に面する正面２１１と、正面２１１に対して略直角の下面２１２とを有し、長手方向に対して直交する面での断面が図２においては逆Ｌ字状である。下面２１２の一部には、長手方向に開口した室内開口部２３（第１の開口部）が形成されている。固定部２２は、開閉体９１の室内側の枠体９２内側（下方）に、上面２２１が固設され（図１参照）、室内側に蓋部２１で塞がれる開口２２０が形成されている。そして、固定部２２は、蓋部２１の下面２１２の室内開口部２３以外と当接する下面２２２を有する。固定部２２の開口２２０を塞ぐように蓋部２１がセットされた本体部２は、蓋部２１の正面２１１が室内の壁面と面一となり、枠体９２の内側にきれいに収まるように設置される。本体部２は、本参考形態１の換気装置が取り付けられる枠体９２の幅方向より短い場合、固定部２２の上方とは別に、枠体９２に面する固定部２２の側面が、図２に示されるように、枠体９２の上方から下方に突出するように取り付けられたブラケット９３にネジなどによって固設される。
【００２３】
図１に戻って、本体部２は、更に、その内部にダクトが区画されて配設される。ダクトは内設路５と延長部４とをもつ。内設路５はその内側に送風機が配設される。
【００２４】
まず、延長部４は、本体部２の内部に開口する内部開口部４１から開閉体９１の換気框９４に対向して開口する外部開口部（第２の開口部）４２に向かって延設されている。延長部４は、外部開口部４２から固定部２２に向かってほぼ水平方向に延設されており、内部開口部４１に辿りつく手前で内部開口部４１が本体部２中心部に向かって上方に位置しているため、途中が傾斜した形状である。延長部４の外部開口部４２は、開閉体９１の上方に位置する換気框９４に対向して開口している。外部開口部４２は換気框９４に対して近接している。近接の程度としては送風機３が送り出す空気が必要な量だけ換気框９４を通じて出入りできる程度にする。つまり、近接の程度が大きい（換気框９４と外部開口部４２との距離が短い）ほど、その対向する部分から空気が漏れず、より効率的に空気が換気可能になる。そして、延長部４の内部開口部４１が連通するのは、送風機３（例えば、クロスフローファンを有する）を覆う内設路５の延長部側開口部５１である。
【００２５】
送風機３は、内設路５に覆われた状態で、固定部２２に内設されている。送風機３は、図２に示されるように、本体部２と同様に開閉体９１の幅方向に長く、一方端に駆動のためのモータ６が取り付けられている。内設路５は、図１に示されるように、延長部４の内部開口部４１に連通する延長部側開口部５１と、蓋部２１の室内開口部２３に連通する蓋部側開口部５２との間に送風機３が位置する。そして、内設路５は、延長部側開口部５１と蓋部側開口部５２との間を送風機３の回転によって空気が移動する経路となるように、第１仕切り５３と第２仕切り５４とで送風機３を覆っている。第１仕切り５３は、延長部側開口部５１から送風機３の上方を覆う。第２仕切り５４は、延長部側開口部５１から、延長部側開口部５１寄りで送風機３の下方に位置している。
【００２６】
モータ６は、送風機３の回転方向を切り替えできる。送風機３は、例えば、室内の空気を排気する正回転と、室内に外気を吸気する逆回転とをモータ６によって切り替えられる。また、送風機３の回転（オン）及び回転停止（オフ）は、開閉体９１の開閉及び／又は換気框９４の開閉に連動する。例えば、換気框９４が開状態で送風機３を回転させ、閉状態になると送風機３を回転停止する。更に、送風機３は開閉体９１が開状態になると回転停止する。なお、開閉体９１としては、開閉状態の切り替えができる引違い窓、外開き窓、内倒し窓、上げ下げ窓、ルーバー窓あるいは開閉しないはめ殺し窓などがあり、それらに設置した換気框９４に対して、本参考形態１の換気装置を設置できる。ここで、開閉体９１の開閉による送風機３のオン及びオフの連動は、開閉体９１が引き違いの窓である場合の開状態によって、換気框９４部分が開閉体９１で室外との連通が封鎖されることを避けるためである。しかし、開閉体９１が開状態であれば、換気装置によって換気をしなくても換気ができるため、換気框９４部分が封鎖されるか否かにかかわらず回転停止する仕様とすることができる。
【００２７】
本参考形態１の換気装置は、例えば、室内の空気を排気する場合、モータ６が駆動して送風機３が正回転し、室内の空気が本体部２の室内開口部２３から内設路５の蓋部側開口部５２を移動し、内設路５へと導きかれる。そして、空気は内設路５の延長部側開口部５１から延長部４の内部開口部４１へと移動し、延長部４の外部開口部４２から換気框９４に排出される。また、室内に外気を吸気する場合、排気する場合の逆にモータ６を駆動させ、送風機３を逆回転させる。外気は、換気框９４を介して延長部４の外部開口部４２から内部開口部４１、内設路５の延長部側開口部５１へと移動し、内設路５の蓋部側開口部５２を通過して、本体部２の室内開口部２３から室内に導かれる。
【００２８】
その他に、建物の開口部には、換気框９４の室外側（延長部４の内部開口部４１が位置している面とは逆側）に、換気框９４の開閉に連動して回動する弁部材９５が取り付けられている。弁部材９５は、板形状で下方が回動するように上方が軸支されている。弁部材９５は、軸支されている位置が換気框９４に近接しており、換気框９４に対してほぼ平行な状態が閉状態であり、下方が換気框９４から離れた状態が開状態である。換気框９４が開状態となることと連動して弁部材９５は開状態となり、換気框９４が閉状態となることと連動して弁部材９５は閉状態となる。弁部材９５の開状態は鋭角に規制する。回動する角度をある程度規定することで、延長部４に雨水や空気中のゴミが進入することを抑制できる。
【００２９】
本参考形態１の換気装置は、開閉体９１の上方にある換気框９４に延長部４の外部開口部４２が位置するように、開閉体９１の上方に設置されている。開閉体９１と本参考形態１の換気装置とは一体ではないため、換気框９４がない開閉体９１の場合は換気框９４のある開閉体９１に変更すれば良く、専用の開閉体９１である必要はない。また、本参考形態１の換気装置を取り付けるために、建物の壁を工事することもない。よって、新築や既存の建造物であることに依存せずに、本参考形態１の換気装置を取り付けることが可能である。なお、図１では延長部４の下に網戸９６が位置する。延長部４の外部開口部４２を換気框９４に近接するように設置しているため、網戸９６は上方位置が開閉体９１の換気框９４よりも下方である。ここで、網戸９６が、換気框９４と延長部４の外部開口部４２との間に位置する高さである場合、図１に示される高さの網戸９６に変更せず、図３に示されるように、そのままの網戸９６に対して延長部４の外部開口部４２を近接させる。外気は換気框９４、網戸９６を介して延長部４の外部開口部４２から吸気され、室内の空気は延長部４の外部開口部４２から網戸９６、換気框９４へと排気される。よって、開閉体９１と本参考形態１の換気装置との間に網戸９６が配置されている場合も、本参考形態１の換気装置は網戸９６越しに換気を行うことができる。
【００３０】
更に、ダクトは、延長部４の内部開口部４１が外部開口部４２より上方に位置しており、送風機３の手前で上方に傾斜した形状であるため、外部開口部４２から外気とともに進入してきた雨水やゴミを傾斜部分で止め、それ以上換気装置に進入するのを抑制することができる。
【００３１】
（実施形態１）
本実施形態１の換気装置は、参考形態１の換気装置と基本的な構成及び作用効果は同じである。以下、主に異なる部分について説明する。
【００３２】
本実施形態１の換気装置は、図４に示されるように、換気框９４と延長部４の外部開口部４２との間に網戸９６が位置する場合、換気框９４と網戸９６との間に配置可能な補助ダクト４３を有する。補助ダクト４３は、換気框９４と網戸９６のそれぞれに近接して開口した部材である。網戸９６に対して開口するダクト側開口部４３１を延長部４の外部開口部４２と、上下左右方向で一致するように配置し、延長部４の外部開口部４２と連通させる。補助ダクト４３は、枠体９２の上方に取り付けたブラケット９２１に固設する。また、この補助ダクト４３は、例えば、ゴムスポンジで構成されても良い。
【００３３】
換気框９４と網戸９６との間に補助ダクト４３を配置することにより、補助ダクト４３がない場合よりも換気効率が良くなる。また、換気框９４と外部開口部４２との間に位置する網戸９６を排斥したり、網戸９６の形状を変更したりしなくても、図３の場合よりも換気効率の良い換気装置を設置できる。ただし、延長部４及び補助ダクト４３は、網戸９６と接する部分に空気漏れや摩擦を低減するための部材（例えば、ゴム製の部材等）を設けていると良い。
【００３４】
（その他の実施形態）
以上、本発明の好適な実施形態について説明したが、本発明は上記実施形態に限定されるものではない。例えば、室内開口部２３の位置は、内設路５の蓋部側開口部５２の位置関係により、必ずしも下方とは限らない。また、室内開口部２３は、網状の部材を取り付けたり、何も取り付けたりしない状態の何れでも良い。
【００３５】
また、外部開口部４２の開口の大きさは、換気框９４の全体に対して開口する大きさでも、一部に対して開口する大きさでも良い。意匠性を考慮すると、開口の大きさは、換気装置の大きさと同じかそれ以下が好ましい。
【００３６】
その他に、弁部材９５は、その開閉を換気框９４の開閉に連動するのではなく、送風機３のオン・オフに連動させることもできる。送風機３のオン・オフ自体も開閉体９１の開閉や換気框９４の開閉に連動するため。あるいは、上記の開閉に連動しない構成でも良い。換気装置が排気のみを行う場合、排気による流動で弁部材９５が開状態になり、排気の流動がなければ弁部材９５が自然と閉状態となる。弁部材９５は、上側を回動軸として鋭角で開閉するため、室内側から室外側への流動がなければ閉じるし、外気が弁部材９５に流動すれば換気框９４側に押しつけられることになる。よって、外気は弁部材９５に遮られて換気框９４から延長部４へと進入しにくく、外気とともに雨水がゴミの進入を阻止できる。
【００３７】
また、弁部材９５は必ずしも必須の部材ではない。特に、図３に示される参考形態１の換気装置の変形例において、弁部材９５と延長部４の外部開口部４２との距離があるため、雨水やゴミが換気框９４から進入してきたとしても自重により延長部４の外部開口部４２に辿りつく前に落下する可能性が高い。
【符号の説明】
【００３８】
２：本体部、      ２１：蓋部、            ２２：固定部、
２３：室内開口部（第１の開口部）、
３：送風機、
４：延長部、      ４１：内部開口部、      ４２：外部開口部（第２の開口部）、
４３：補助ダクト、
５：内設路、      ５１：延長部側開口部、  ５２：蓋部側開口部、
５３：第１仕切り、５４：第２仕切り、
６：モータ、
９１：開閉体、    ９２：枠体、            ９３：ブラケット、  ９４：換気框、
９５：弁部材、    ９６：網戸。
【図１】
0005919906.tif 000002
【図２】
0005919906.tif 000003
【図３】
0005919906.tif 000004
【図４】
0005919906.tif 000005